(57)【要約】【課題】電子ペーパーディスプレイと透明ディスプレイを重ねた表示装置において、両ディスプレイに画像表示を行う場合に、表示内容の更新時の両ディスプレイの更新タイミングのずれを抑制する。【解決手段】非表示状態で透明となる第１の表示パネルと、前記第１の表示パネルの背面に設けられ、表示画像の更新に要する時間が前記第１の表示パネルと異なる第２の表示パネルと、入力画像を構成する各画像要素の内容に応じて、各画像要素を前記第１の表示パネル又は前記第２の表示パネルで表示する制御手段と、入力画像が変化した場合に、前記第２の表示パネルの表示画像の更新に要する時間に応じたタイミングで前記第１の表示パネルの表示画像を更新する更新手段と、を備える表示装置。【選択図】図１
2015176056.tif 000002
【特許請求の範囲】
【請求項１】
非表示状態で透明となる第１の表示パネルと、
前記第１の表示パネルの背面に設けられ、表示画像の更新に要する時間が前記第１の表示パネルと異なる第２の表示パネルと、
入力画像を構成する各画像要素の内容に応じて、各画像要素を前記第１の表示パネル又は前記第２の表示パネルで表示する制御手段と、
入力画像が変化した場合に、前記第２の表示パネルの表示画像の更新に要する時間に応じたタイミングで前記第１の表示パネルの表示画像を更新する更新手段と、
を備える表示装置。
【請求項２】
前記第２の表示パネルの表示画像の更新に要する時間は、前記第１の表示パネルの表示画像の更新に要する時間よりも長い請求項１に記載の表示装置。
【請求項３】
前記第２の表示パネルの表示画像の更新に要する時間は、変化前の入力画像のうち前記第２の表示パネルで表示する画像要素と、変化後の入力画像のうち前記第２の表示パネルで表示する画像要素と、の差分により可変である請求項１に記載の表示装置。
【請求項４】
前記更新手段は、前記第２の表示パネルの表示画像の更新が完了するタイミングと、前記第１の表示パネルの表示画像の更新を開始するタイミングと、が同じになるように、前記第１の表示パネルと前記第２の表示パネルの表示画像の更新を行う請求項１〜３のいずれか１項に記載の表示装置。
【請求項５】
前記更新手段は、前記第２の表示パネルの表示画像の更新が完了するタイミングと、前記第１の表示パネルの表示画像の更新が完了するタイミングと、が同じになるように、前記第１の表示パネルと前記第２の表示パネルの表示画像の更新を行う請求項１〜３のいずれか１項に記載の表示装置。
【請求項６】
前記更新手段は、前記第２の表示パネルの各ラインの表示画素の更新が完了するタイミングと、前記第２の表示パネルの前記各ラインに対応する前記第１の表示パネルの各ラインの表示画素の更新を開始するタイミングと、が同じになるように、前記第１の表示パネルと前記第２の表示パネルの表示画像の更新を行う請求項１〜３のいずれか１項に記載の表示装置。
【請求項７】
前記第２の表示パネルは電子ペーパー方式の表示パネルであり、
前記更新手段は、変化前の入力画像のうち前記第２の表示パネルで表示する画像要素を構成する画素と、変化後の入力画像のうち前記第２の表示パネルで表示する画像要素を構成する画素と、で画素値が異なる画素についてのみ、前記第２の表示パネルの表示を更新する請求項１〜６のいずれか１項に記載の表示装置。
【請求項８】
前記更新手段は、変化前の入力画像のうち前記第２の表示パネルで表示する画像要素を構成する画素数と、変化後の入力画像のうち前記第２の表示パネルで表示する画像要素を構成する画素数と、変化前の入力画像のうち前記第２の表示パネルで表示する画像要素を構成する画素と変化後の入力画像のうち前記第２の表示パネルで表示する画像要素を構成する画素とで画素値が共通の画素の画素数と、に基づき、前記第２の表示パネルの表示画像を更新するのに要する時間を求め、当該求めた時間に基づき前記第１の表示パネルの表示画像を更新するタイミングを決定する請求項７に記載の表示装置。
【請求項９】
前記制御手段は、画像要素の内容が写真又は動画像である場合、前記第１の表示パネルで表示し、画像要素の内容が文字である場合、前記第２の表示パネルで表示する請求項１
〜８のいずれか１項に記載の表示装置。
【請求項１０】
前記第１の表示パネルの前面に設けられ、タッチセンサを備えた透明のタッチパネルを更に備える請求項１〜９のいずれか１項に記載の表示装置。
【請求項１１】
非表示状態で透明となる第１の表示パネルと、
前記第１の表示パネルの背面に設けられ、表示画像の更新に要する時間が前記第１の表示パネルと異なる第２の表示パネルと、
を備える表示装置の制御方法であって、
入力画像を構成する各画像要素の内容に応じて、各画像要素を前記第１の表示パネル又は前記第２の表示パネルで表示する制御工程と、
入力画像が変化した場合に、前記第２の表示パネルの表示画像の更新に要する時間に応じたタイミングで前記第１の表示パネルの表示画像を更新する更新工程と、
を有する表示装置の制御方法。
【請求項１２】
前記第２の表示パネルの表示画像の更新に要する時間は、前記第１の表示パネルの表示画像の更新に要する時間よりも長い請求項１１に記載の表示装置の制御方法。
【請求項１３】
前記第２の表示パネルの表示画像の更新に要する時間は、変化前の入力画像のうち前記第２の表示パネルで表示する画像要素と、変化後の入力画像のうち前記第２の表示パネルで表示する画像要素と、の差分により可変である請求項１１に記載の表示装置の制御方法。
【請求項１４】
前記更新工程では、前記第２の表示パネルの表示画像の更新が完了するタイミングと、前記第１の表示パネルの表示画像の更新を開始するタイミングと、が同じになるように、前記第１の表示パネルと前記第２の表示パネルの表示画像の更新を行う請求項１１〜１３のいずれか１項に記載の表示装置の制御方法。
【請求項１５】
前記更新工程では、前記第２の表示パネルの表示画像の更新が完了するタイミングと、前記第１の表示パネルの表示画像の更新が完了するタイミングと、が同じになるように、前記第１の表示パネルと前記第２の表示パネルの表示画像の更新を行う請求項１１〜１３のいずれか１項に記載の表示装置の制御方法。
【請求項１６】
前記更新工程では、前記第２の表示パネルの各ラインの表示画素の更新が完了するタイミングと、前記第２の表示パネルの前記各ラインに対応する前記第１の表示パネルの各ラインの表示画素の更新を開始するタイミングと、が同じになるように、前記第１の表示パネルと前記第２の表示パネルの表示画像の更新を行う請求項１１〜１３のいずれか１項に記載の表示装置の制御方法。
【請求項１７】
前記第２の表示パネルは電子ペーパー方式の表示パネルであり、
前記更新工程では、変化前の入力画像のうち前記第２の表示パネルで表示する画像要素を構成する画素と、変化後の入力画像のうち前記第２の表示パネルで表示する画像要素を構成する画素と、で画素値が異なる画素についてのみ、前記第２の表示パネルの表示を更新する請求項１１〜１６のいずれか１項に記載の表示装置の制御方法。
【請求項１８】
前記更新工程では、変化前の入力画像のうち前記第２の表示パネルで表示する画像要素を構成する画素数と、変化後の入力画像のうち前記第２の表示パネルで表示する画像要素を構成する画素数と、変化前の入力画像のうち前記第２の表示パネルで表示する画像要素を構成する画素と変化後の入力画像のうち前記第２の表示パネルで表示する画像要素を構成する画素とで画素値が共通の画素の画素数と、に基づき、前記第２の表示パネルの表示
画像を更新するのに要する時間を求め、当該求めた時間に基づき前記第１の表示パネルの表示画像を更新するタイミングを決定する請求項１７に記載の表示装置の制御方法。
【請求項１９】
前記制御工程では、画像要素の内容が写真又は動画像である場合、前記第１の表示パネルで表示し、画像要素の内容が文字である場合、前記第２の表示パネルで表示する請求項１１〜１８のいずれか１項に記載の表示装置の制御方法。
【発明の詳細な説明】
【技術分野】
【０００１】
本発明は、表示装置及びその制御方法に関するものである。
【背景技術】
【０００２】
ガラス基板などの透明部材の上に透明電極を配置し、ディスプレイの表示内容の視認と、ディスプレイの裏側（背面側、向こう側）に存在する物体の視認と、が同時に可能なディスプレイ（以下、透明ディスプレイ）が開発されている（例えば、特許文献１参照）。
また、電子ペーパー方式のディスプレイの上に透明ディスプレイを重ね、動画像を表示するときは透明ディスプレイをアクティブとし、動画像の表示が終了すると透明ディスプレイを非アクティブとする技術が開示されている（例えば、特許文献２参照）。
【先行技術文献】
【特許文献】
【０００３】
【特許文献１】特許第２８４８２３６号公報
【特許文献２】特開２００８−１９７６３４号公報
【発明の概要】
【発明が解決しようとする課題】
【０００４】
電子ペーパーディスプレイと透明ディスプレイとでは、表示内容を更新するのに必要な時間（以下、更新時間とする）が異なる。そのため、電子ペーパーディスプレイと透明ディスプレイを重ねた表示装置において、両ディスプレイに画像表示を行う場合、表示内容の更新時に両ディスプレイで更新タイミングがずれて観察者に違和感を与える可能性がある。
【０００５】
そこで本発明は、電子ペーパーディスプレイと透明ディスプレイを重ねた表示装置において、両ディスプレイに画像表示を行う場合に、表示内容の更新時の両ディスプレイの更新タイミングのずれを抑制することを目的とする。
【課題を解決するための手段】
【０００６】
本発明は、非表示状態で透明となる第１の表示パネルと、
前記第１の表示パネルの背面に設けられ、表示画像の更新に要する時間が前記第１の表示パネルと異なる第２の表示パネルと、
入力画像を構成する各画像要素の内容に応じて、各画像要素を前記第１の表示パネル又は前記第２の表示パネルで表示する制御手段と、
入力画像が変化した場合に、前記第２の表示パネルの表示画像の更新に要する時間に応じたタイミングで前記第１の表示パネルの表示画像を更新する更新手段と、
を備える表示装置である。
【０００７】
本発明は、非表示状態で透明となる第１の表示パネルと、
前記第１の表示パネルの背面に設けられ、表示画像の更新に要する時間が前記第１の表示パネルと異なる第２の表示パネルと、
を備える表示装置の制御方法であって、
入力画像を構成する各画像要素の内容に応じて、各画像要素を前記第１の表示パネル又は前記第２の表示パネルで表示する制御工程と、
入力画像が変化した場合に、前記第２の表示パネルの表示画像の更新に要する時間に応じたタイミングで前記第１の表示パネルの表示画像を更新する更新工程と、
を有する表示装置の制御方法である。
【発明の効果】
【０００８】
本発明によれば、電子ペーパーディスプレイと透明ディスプレイを重ねた表示装置において、両ディスプレイに画像表示を行う場合に、表示内容の更新時の両ディスプレイの更新タイミングのずれを抑制することが可能となる。
【図面の簡単な説明】
【０００９】
【図１】実施例１に係る画像表示装置の構成の一例を表す図
【図２】実施例１に係る表示画像切り替え処理を表すフローチャート
【図３】電子ペーパー更新時間計算部の処理を説明するための模式図
【図４】透明ディスプレイと電子ペーパーのそれぞれにおける表示状態を表す図
【図５】透明ディスプレイ更新タイミング信号を示すタイミングチャート
【図６】透明ディスプレイ更新タイミング信号を示すタイミングチャートの別例
【図７】表示画像の更新状態の一例を表す図
【図８】透明ディスプレイ更新タイミング信号を示すタイミングチャートの別例
【図９】実施例１に係る画像表示装置を示す模式図
【図１０】表示画像Ａの画面構成を表す模式図
【図１１】表示画像Ａが透明ディスプレイと電子ペーパーに表示された状態の図
【図１２】表示画像Ｂの画面構成を表す模式図
【図１３】表示画像Ｂが透明ディスプレイと電子ペーパーに表示された状態の図
【図１４】透明ディスプレイ更新タイミング信号を示すタイミングチャート
【発明を実施するための形態】
【００１０】
以下、本発明の表示装置の一実施例について添付図面を参照して詳細に説明する。なお、以下に説明する実施例は、本発明の実施の形態の一例である。本発明が適用される装置の構成や各種条件によって適宜修正又は変更されるべきものであり、本発明は、以下の実施例に限定されるものではない。
【００１１】
（実施例１）
本実施例の表示装置は、非表示状態で透明になる透明ディスプレイ（第１の表示パネル）と、透明ディスプレイの背面に設けられ透明ディスプレイとは表示画像の更新に要する時間が異なる電子ペーパー方式のディスプレイ（第２の表示パネル）とを有する。本実施例の表示装置は、電子ペーパーと透明ディスプレイとを重ね合わせて構成される。本実施例の場合、電子ペーパーの更新時間が透明ディスプレイの更新時間より長い。なお、異なる更新時間を有する表示デバイスを重ね合わせた構成であれば、これに限定されない。
【００１２】
また、現在表示中の表示画像Ａから、タッチパネルに対するユーザ操作によって、異なる表示画像Ｂへ表示を切り替える場合における本発明の特徴的な処理について説明する。ここでは一例として、表示画像Ａは、インターネット経由で取得した一般的なＷｅｂページをブラウザで表示した場合の画像とする。また表示画像Ｂは、表示画像ＡのＷｅｂページ内のリンクをユーザが選択する操作を行って異なるＷｅｂページに遷移した場合にブラウザで表示される画像とする。表示画像ＢのＷｅｂページには、画像と文字が混在するものとする。なお、上記の表示画像の変化は一例であり、これに限られない。表示画像の変化はユーザ操作に起因して生じるものであっても良いし、表示装置の処理や入力画像の変化により自動的に変化するものであっても良い。また、上記表示画像は動画像であってもよい。
【００１３】
まず初めに、図１を用いて本実施例における画像表示装置の構成を説明する。
図１は、本発明の実施例１に係る表示装置の概略構成を表すブロック図である。表示装置１００は、タッチパネル１０１、ネットワークＩＦ１０２、電子ペーパー１０３、透明
ディスプレイ１０４、ＲＡＭ１０５、ＲＯＭ１０６、表示デバイス制御部１０７を備える。また表示デバイス制御部１０７は、画像解析部１０８、電子ペーパー更新時間計算部１０９、透明ディスプレイ更新タイミング決定部１１０、電子ペーパー表示制御部１１１、透明ディスプレイ表示制御部１１２を備える。
【００１４】
タッチパネル１０１は、透明ディスプレイ１０４の前面に設けられ、透明なタッチセンサを有し、ユーザによるタッチ操作の情報を取得する。前記ユーザ操作情報の一例としては、表示画像の切り替え指示を表す情報がある。本実施例ではタッチパネルを使用してユーザ操作による表示画像の切り替え指示を取得する例を示したが、表示の切り替えを検知する手段であれば、これに限定されない。例えば、自動で表示が切り替わったことを検知する手段を、表示デバイス制御部１０７に設けてもよい。
【００１５】
ネットワークＩＦ１０２は、インターネット等のネットワークから、電子ペーパー１０３及び透明ディスプレイ１０４で表示する画像の画像データを含む種々の情報やデータを取得する。なお、表示する画像データを取得する方法はこれに限定されない。例えばＳＤカードＩ／Ｆを設け、ＳＤカード内に保存された画像データを取得してもよい。
ＲＡＭ１０５は、画像データが一時的に保存される。
ＲＯＭ１０６は、後述する表示更新に必要な情報が保存されている。
【００１６】
画像解析部１０８は、画像データによる画像表示内容を解析し、入力画像を構成する各画像要素の内容に応じて、各画像要素を電子ペーパー１０３で表示するか透明ディスプレイ１０４で表示するか判定する。画像解析部１０８は、電子ペーパー１０３での表示に適した文字を表示する部分（文字領域）と、透明ディスプレイ１０４への表示に適した画像を表示する部分（画像領域）と、に分類する。
【００１７】
電子ペーパー更新時間計算部１０９は、前記文字領域の画像を電子ペーパー１０３に表示するために必要な時間（以下、更新時間とする）を算出する。
透明ディスプレイ更新タイミング決定部１１０は、透明ディスプレイ１０４の更新タイミングを表す透明ディスプレイ更新タイミング信号を生成する。
電子ペーパー表示制御部１１１は、文字領域の画像を電子ペーパー１０３へ書き込む処理を行う。
透明ディスプレイ表示制御部１１２は、前記透明ディスプレイ更新タイミング信号を用いて、画像領域の画像を透明ディスプレイ１０４に表示する処理を行う。
【００１８】
本実施例では、画像解析部１０８は、表示画像を解析し、表示画像を構成する画像要素を電子ペーパー１０３で表示する画像要素と透明ディスプレイ１０４で表示する画像要素に分類する。画像解析部１０８は、画像要素の内容（写真、文字、イラスト、アイコン、背景）、色数、画素数、サイズ等の属性の情報に基づき、解析を行う。画像解析部１０８は、解析結果としての画像要素ごとの属性情報と、電子ペーパー１０３と透明ディスプレイ１０４のどちらで表示するかの予め定められた判定基準と、に基づき、画像要素ごとに表示を担当するディスプレイを選択する。上記の説明では、電子ペーパー１０３で表示する画像要素により構成される領域を文字領域、透明ディスプレイ１０４で表示する画像要素により構成される領域を画像領域と称している。しかし、電子ペーパー１０３で表示する画像要素には、文字を示す画像要素だけでなく、アイコンや色数の少ない写真など、高精細で高い色再現性で表示する必要がない画像を示す画像要素が含まれても良い。
【００１９】
電子ペーパー表示制御部１１１は、電子ペーパー１０３で表示する画像要素の表示領域以外、すなわち透明ディスプレイ１０４で表示する画像要素の表示領域に対応する電子ペーパー１０３の領域には、黒画像を表示させるよう制御する。透明ディスプレイ表示制御部１１２は、透明ディスプレイ１０４で表示する画像要素の表示領域以外、すなわち電子
ペーパー１０３で表示する画像要素の表示領域に対応する透明ディスプレイ１０４の領域は、透明状態になるよう制御する。透明ディスプレイ１０４は、電圧を印加しない状態で透明状態となり、電圧を印加することで画像表示を行うものとする。
【００２０】
なお、電子ペーパー１０３と透明ディスプレイ１０４の間に光の透過率を調節可能な液晶パネルのような調節パネルを配置し、透明ディスプレイ１０４で表示する画像要素の表示領域に対応する液晶パネルの領域を非透過状態としても良い。また、電子ペーパー１０３で表示する画像要素の表示領域に対応する液晶パネルの領域を透過状態としても良い。
【００２１】
次に、図２のフローチャートを用いて本実施例における表示切り替え処理を説明する。図２のフローチャートは、現在表示中の表示画像Ａ（変化前の入力画像）から、タッチパネル１０１に対するユーザ操作によって、異なる表示画像Ｂ（変化後の入力画像）へ表示を切り替える処理を示す。
タッチパネル１０１は、表示画像Ａから表示画像Ｂへの切り替えを指示するユーザ操作の情報を取得する（ステップＳ２０１）。
【００２２】
その後、タッチパネル１０１が取得したユーザ操作情報をもとに、ネットワークＩＦ１０２は表示画像Ｂの画像データをネットワーク経由で取得する（ステップＳ２０２）。そして、表示画像Ｂの画像データをＲＡＭ１０５へ一時保存する。なお、ネットワークＩＦ１０２により取得するのは、表示画像Ｂの画像データでも良いし、表示画像Ｂを生成するためのＨＴＭＬ等の制御情報であっても良い。ＨＴＭＬ等の制御情報を取得した場合、当該制御情報に基づきブラウザのレンダリングを制御し、最終的に表示する画像を生成する処理を行う画像生成部が表示装置１００に更に備わっていても良い。或いは、そのような処理を行うブラウザプログラム等がＲＯＭ１０６に記憶されており、ＣＰＵ１１３が当該プログラムをＲＡＭ１０５に読み込み、ネットワークＩＦ１０２から取得したＨＴＭＬファイル等を処理する構成でも良い。
【００２３】
次に、画像解析部１０８は、ＲＡＭ１０５に保存された前記表示画像Ｂの画像データを取得し、電子ペーパー１０３での表示に適した文字領域の画像データと透明ディスプレイ１０４への表示に適した画像領域の画像データに分類する（ステップＳ２０３）。そして、画像解析部１０８は、文字領域の画像データをＲＡＭ１０５、電子ペーパー更新時間計算部１０９、及び電子ペーパー表示制御部１１１へ出力し、画像領域の画像データを透明ディスプレイ表示制御部１１２へ出力する。
【００２４】
電子ペーパー更新時間計算部１０９は、表示画像Ｂの文字領域の画像データと、電子ペーパーの基準更新時間と、ＲＡＭ１０５に保存された表示画像Ａの文字領域の画像データと、を用いて、電子ペーパーの更新時間を算出する（ステップＳ２０４）。電子ペーパーの基準更新時間は、ＲＯＭ１０６に保存されており、本実施例では、電子ペーパーの１画素の更新に必要な時間とする。ここで、更新とは、現在表示している画像データを別の画像データに変更して表示することを表す。表示画像Ａの文字領域の画像データは、現在、電子ペーパー１０３に表示されている文字領域の画像データである。電子ペーパー更新時間の算出処理については後述する。
【００２５】
透明ディスプレイ更新タイミング決定部１１０は、電子ペーパー１０３の更新時間を用いて透明ディスプレイ１０４の更新タイミングを表す透明ディスプレイ更新タイミング信号を生成する（ステップＳ２０５）。その後、透明ディスプレイ更新タイミング決定部１１０は、透明ディスプレイ表示制御部１１２へ透明ディスプレイ更新タイミング信号を出力する。透明ディスプレイ更新タイミング信号の生成方法については後述する。
【００２６】
透明ディスプレイ表示制御部１１２は、透明ディスプレイ更新タイミング信号を用いて
、画像領域の画像データに基づき透明ディスプレイ１０４に画像を表示する（ステップＳ２０６）。一方、電子ペーパー表示制御部１１１は、文字領域の画像データを電子ペーパー１０３に書き込む（ステップＳ２０７）。
【００２７】
電子ペーパー更新時間計算部１０９における電子ペーパー更新時間の算出処理について説明する。
電子ペーパー更新時間計算部１０９は、画像解析部１０８の出力結果である表示画像Ｂの文字領域の画像データを取得する。また、ＲＡＭ１０５に保存された表示画像Ａの文字領域の画像データを取得する。
【００２８】
次に、現在、電子ペーパー１０３に表示中の表示画像Ａの文字領域の画像データと、表示切り替え後に電子ペーパー１０３に表示される表示画像Ｂの文字領域の画像データと、を比較する。そして、表示画像Ａと表示画像Ｂとで画素値が共通の画素を検出する。検出方法としては、対象文字が使用する画素の座標を比較し、表示画像Ａと表示画像Ｂで共に使用していた場合、前記画素の数をカウントする方法などが考えられる。更に、電子ペーパー更新時間計算部１０９は、ＲＯＭ１０６に保存された電子ペーパーの基準更新時間を読み出す。
【００２９】
ここで、図３（ａ）に示された表示画像Ａを構成する領域３００を、図３（ｂ）に示された表示画像Ｂを構成する領域３０１に更新する場合を考える。
電子ペーパーの更新時間は、下記式１で算出される。
更新時間［ｎｓ］＝（Ａ＋Ｂ−Ｃ×２）×ｎ／２  ・・・（式１）
ここで、
Ａ：表示画像Ａを構成する文字領域の画像データの総画素数
Ｂ：表示画像Ｂを構成する文字領域の画像データの総画素数
Ｃ：表示画像Ａ、Ｂでともに文字領域となる領域の画像データの総画素数
ｎ：電子ペーパー１０３の基準更新時間［ｎｓ］
ここで、図３（ｃ）の領域３０２の画素数が式１の変数Ｃに対応する。また、電子ペーパー１０３の基準更新時間ｎは、１画素あたりの更新時間であり、画像を表示している画素に別の画像を表示するために要する時間である。従って、基準更新時間ｎは、画素の表示領域を非表示にする時間Ｘと、画素の非表示領域を表示する時間Ｙの和で表される。ここで、本実施例では、ＸとＹは等しいとし、各々の時間をｎ／２で表している。
【００３０】
なお、電子ペーパーの更新時間の算出方法はこれに限定されない。例えば本実施例では１画素の更新時間を基準更新時間としたが、１ラインの更新時間を基準更新時間としてもよいし、表示領域全体の更新時間を基準更新時間としてもよい。また文字情報に色情報を含ませ、色情報で更新時間の算出時に重み付けを行うようにしても良い。
【００３１】
透明ディスプレイ更新タイミング決定部１１０における透明ディスプレイ更新タイミング信号の生成方法について説明する。図４（ａ）、図４（ｂ）は表示画像を示す。図４（ａ）、図４（ｂ）の表示画像の下側は電子ペーパー１０３で表示する文字領域であり、上側は透明ディスプレイ１０４で表示する画像領域であるとする。
【００３２】
本実施例では、図４（ａ）に示す表示画像内の文字Ａ（４０１）が表示された時点、即ち、電子ペーパー１０３で表示する文字領域の更新完了時に、図４（ｂ）に示す表示画像内の透明ディスプレイ１０４で表示する画像領域４０２の表示開始を行う。図５に本実施例における更新タイミング信号を表すタイミングチャートを示す。
【００３３】
電子ペーパー１０３の表示更新を開始すると、電子ペーパー更新信号が発生している期間内で電子ペーパー１０３の表示更新が行われる。なお、本実施例では、電子ペーパー更新信号が発生している期間は、電子ペーパー１０３の１ラインが表示更新される期間としている（図５の第１ライン更新期間５０１、第２ライン更新期間５０２、第ｎライン更新期間５０３）。透明ディスプレイ更新タイミング決定部１１０は、電子ペーパー１０３の更新完了時に発生する電子ペーパー更新完了信号をトリガとして、透明ディスプレイ更新タイミング信号を発生させる。透明ディスプレイ更新タイミング信号をトリガとして、透明ディスプレイ更新信号が有効となる。本実施例では、透明ディスプレイ１０４の垂直有効期間信号を透明ディスプレイ更新信号とする。透明ディスプレイ更新信号期間（図５の更新期間５０４）内で透明ディスプレイ１０４の表示更新が行われる。
【００３４】
なお、透明ディスプレイ更新タイミング信号の決定方法はこれに限定されない。例えば、透明ディスプレイ更新タイミング信号を、図４の文字Ａ（４０１）の表示完了時、即ち、電子ペーパー１０３で表示する文字領域の更新完了時に、透明ディスプレイ１０４で表示する画像領域４０２の表示が完了する更新タイミングとしても良い。このような更新タイミングを表すタイミングチャートを図６に示す。
【００３５】
また、図７（ａ）の点線７００で囲まれた箇所が示すように、透明ディスプレイ１０４と電子ペーパー１０３とで、更新ラインが同一ラインになるような更新タイミングとしても良い。具体的には、図７（ｂ）に示すように、透明ディスプレイ１０４の第１ライン７０１と、電子ペーパー１０３の第１ライン７０３とが、同時に表示（更新）されるような更新タイミングとする。以下同様に、透明ディスプレイ１０４の第２ライン７０２と、電子ペーパー１０３の第２ライン７０４とが、同時に表示（更新）されるような更新タイミングとする。つまり、電子ペーパー１０３の各ラインの表示画素の更新が完了するタイミングと、電子ペーパー１０３の各ラインに対応する透明ディスプレイ１０４の各ラインの表示画素の更新を開始するタイミングと、が同じになるようにする。このような更新タイミングを表すタイミングチャートを図８に示す。
【００３６】
図５に記載の更新タイミングとの差異は、電子ペーパー１０３の１ラインの更新完了ごとに電子ペーパー更新完了信号が発生する点である。そして、１ラインごとの電子ペーパー更新完了信号とトリガとして、１ラインごとに透明ディスプレイ更新タイミング信号が発生する。そして、１ライン毎の透明ディスプレイ更新タイミング信号をトリガとして、透明ディスプレイ更新信号が発生する。ここで発生する透明ディスプレイ更新信号は、透明ディスプレイ１０４の水平有効期間信号とする。透明ディスプレイ更新信号が有効の期間（図８の更新期間８０１，８０２，８０３）内で、１ライン分の透明ディスプレイ１０４の表示更新が行われる。
【００３７】
図９に、本実施例の表示装置９００の模式図を示す。表示装置９００の表示部を構成する透明ディスプレイ９０１と電子ペーパー９０２は、ともに構成画素数は８００×６００とし、画面サイズを１６２ｍｍ×１２１．５ｍｍとする。表示装置９００に表示される画像が表示画像Ａから表示画像Ｂに遷移（変化）する場合を例に説明する。
【００３８】
図１０に表示画像Ａ１０００の具体的な構成を示す。
表示画像Ａ１０００はＷｅｂページの画像であり、リンク先の各画像データをサムネイル化した画像を示す画像領域１００１から１００３と、リンク先の各画像データに関する説明文を表す文字領域１００４から１００６で構成されている。文字領域１００４から１００６は、表示する文字の構成総画素を少なくとも含むものとする。ここでは、文字領域１００４から１００６の構成総画素は２０００００画素とする。
【００３９】
図１１（ａ）は、透明ディスプレイ９０１に表示される画像を示す。図１１（ａ）に示すように、透明ディスプレイ９０１には画像領域１００１から１００３が表示される。図１１（ｂ）は、電子ペーパー９０２に表示される画像を示す。図１１（ｂ）に示すように、電子ペーパー９０２には文字領域１００４から１００６が表示される。
【００４０】
また図１２に、表示画像Ｂ１２００の具体的な構成を示す。
表示画像Ｂ１２００は、画像領域１２０１と文字領域１２０２から構成される。画像領域１２０１は、表示画像Ａ１０００における画像領域１００１に含まれるサムネイル画像に対応付けられたリンク先の大きなサイズの画像を含む。文字領域１２０２は、この大きなサイズの画像についての詳細な説明文を構成する文字の画像を含む。本実施例では文字領域１２０２の構成総画素数を２０００００画素とする。
【００４１】
図１３（ａ）は、透明ディスプレイ９０１に表示される画像を示す。図１３（ａ）に示すように、透明ディスプレイ９０１には画像領域１２０１が表示される。図１３（ｂ）は、電子ペーパー９０２に表示される画像を示す。図１３（ｂ）に示すように、電子ペーパー９０２には文字領域１２０２が表示される。
【００４２】
ここで、表示画像Ａのうち電子ペーパー９０２で表示する文字領域１００４から１００６と、表示画像Ｂのうち電子ペーパー９０２で表示する文字領域１２０２とで、共通の画素値を有する画素が７００００画素であるとする。この場合、電子ペーパー９０２で表示する文字領域の更新時間は、電子ペーパー９０２の基準更新時間を３[ｎｓ]とすると、
（２０００００＋２０００００−７００００×２）×３／２＝３９００００［ｎｓ］
となる。図１４に示すように、電子ペーパー９０２の更新開始（第１ラインの更新期間開始）から更新時間３９００００［ｎｓ］経過した電子ペーパー９０２の更新完了（第６００ラインの更新期間終了）タイミングで、透明ディスプレイ更新タイミング信号が発生する。そして透明ディスプレイ９０１の表示更新が行われる。
【００４３】
本実施例では、式１で示すように、本実施例の電子ペーパー１０３では、変化前の入力画像と変化後の入力画像とで画素値が共通の画素については更新処理をしない。そのため、電子ペーパー１０３の表示画像の更新に要する時間は、変化前の入力画像のうちの文字領域の画素と、変化後の入力画像のうちの文字領域の画素と、の差分により可変である。従って、入力画像が変化した場合の電子ペーパー１０３の表示画像の更新時間と透明ディスプレイ１０４の表示画像の更新時間とが異なり、かつ、その差異も一定ではない。このような更新時間の差異がある電子ペーパー１０３と透明ディスプレイ１０４とが重ね合わされた構成であっても、本実施例の処理を行うことによって、電子ペーパー１０３と透明ディスプレイ１０４との表示が更新されるタイミングのずれを低減できる。実施例１では、更新時間の異なる２つの表示デバイスである電子ペーパーと透明ディスプレイを重ね合わせて構成した表示装置において、電子ペーパーの更新時間に応じて透明ディスプレイの更新タイミングを制御する。これにより、表示画像の一部を電子ペーパーで表示し一部を透明ディスプレイで表示する状態で表示画像が更新されるときの、電子ペーパーにおける表示更新と透明ディスプレイにおける表示更新のタイミングのずれを少なくできる。従って、表示画像を観察するユーザに同じ表示画像内で表示タイミングがずれることにより違和感を与えることを抑制できる。
【符号の説明】
【００４４】
１００：表示装置、１０３：電子ペーパー、１０４：透明ディスプレイ、１０８：画像解析部、１１０：透明ディスプレイ更新タイミング決定部、１１１：電子ペーパー表示制御部、１１２：透明ディスプレイ表示制御部
【図１】
2015176056.tif 000003
【図２】
2015176056.tif 000004
【図３】
2015176056.tif 000005
【図４】
2015176056.tif 000006
【図５】
2015176056.tif 000007
【図６】
2015176056.tif 000008
【図７】
2015176056.tif 000009
【図８】
2015176056.tif 000010
【図９】
2015176056.tif 000011
【図１０】
2015176056.tif 000012
【図１１】
2015176056.tif 000013
【図１２】
2015176056.tif 000014
【図１３】
2015176056.tif 000015
【図１４】
2015176056.tif 000016